(57)【要約】【課題】  携帯電話にジュエリーを装着する場合、ジュエリーのデザインが豊富であるため、それぞれのデザインに対応する必要があり、さらに脱落を防止するために確実堅牢に固定しなければならず、また携帯電話の使用は短期間であり、廃棄されるときにジュエリーが廃棄されることなく再利用を可能ならしめることを提供する。【解決手段】  ジュエリーの底面の適切な箇所に複数のおねじをろう付し、携帯電話本体と着脱可能な外装盤にジュエリーのおねじに対応する位置に孔をあけ、外装盤にあけた孔にジュエリーに取り付けたおねじを通してナットでジュエリーを外装盤に固定し、ジュエリーを固定した外装盤を携帯電話本体に装着して、携帯電話本体、外装盤、ジュエリーの三者を一体となし、携帯電話を廃棄する時は、ジュエリーのナットを外して携帯電話から取り外し、ジュエリーの再利用を可能とすることを特徴とする。【選択図】図１
2010268414.tif 000002
【特許請求の範囲】
【請求項１】
携帯電話本体との着脱可能な外装盤にジュエリーを取り付け、ジュエリーを取り付けた外装盤を携帯電話本体に装着して、携帯電話本体、外装盤、ジュエリーの三者を一体となすことを特徴とするジュエリー付き携帯電話の外装盤。
【請求項２】
ジュエリーの底面の適切な箇所に複数のおねじをろう付し、携帯電話本体と着脱可能な外装盤にジュエリーのおねじに対応する位置に孔をあけ、外装盤にあけた孔にジュエリーに取り付けたおねじを通してナットでジュエリーを外装盤に固定し、又は固定したジュエリーのおねじのナットを外してジュエリーを外装盤から容易に取り外すことを可能とする特徴を有する請求項１のジュエリー付き携帯電話の外装盤。
【発明の詳細な説明】
【技術分野】
【０００１】  本発明は、携帯電話の外装盤に着脱機能を有するジュエリーと、ジュエリーを着脱する構造を有する外装盤を組み立て、外装盤が着脱可能な構造を有する携帯電話にジュエリーを固定した外装盤を装着する、ジュエリー付き携帯電話の外装盤に関するものである。
【背景技術】
【０００２】  携帯電話の外装は、装飾性を高めるためさまざまな色彩や表面装飾がなされている。
その装飾方法は、
（イ）外装の合成樹脂素材の色や本体への模様や図柄の印刷による。
（ロ）本体や外装に専用デザインシールを貼付し、または圧着式蒔絵を貼付する。
（ハ）本体や外装に皮革や模造石やビーズ、木材、布を接着剤や粘着剤テープによって      貼付する。
（ニ）本体や外装に漆やラッカーを塗布する。
（ホ）本体や外装の漆の上に蒔絵や螺鈿の文様を施す。
（ヘ）クリアな外装内に天然石を埋め込む。
（ト）本体や外装に天然石を彫留めする。
（チ）本体をはめ込むカバーに天然石などの装飾品を留める。【０００３】  これらの装飾は、携帯電話の本体及び外装の成型された合成樹脂に色彩効果をほどこしたもの、外装に接着や粘着によって模様や素材を貼付したもの、外装に塗装、手描きをしたもの、本体や外装に石留めしたものに大別できる。【０００４】  本体や外装の色や模様以上に装飾性を高める模造石やビーズのようにアクセサリー、ジュエリーと同等のものは、本体への接着や粘着法がとられているが、接着面が平面である必要性があり、また接着力の限界により脱落が懸念されるために立体的なものや高価な天然宝石を用いたジュエリーなどは接着法による製品化がなされていない。【０００５】  ダイヤモンドをクリアな外装に埋め込む方法や、本体や外装にダイヤモンドを彫留めする方法は、構造上極めて小粒の宝石や限定されたカット形状に限定される。【０００６】  携帯電話の本体や外装は、多くが合成樹脂を材料として成型されているため、ジュエリーを装着しようとする場合、耐久性で不安感を与える。【０００７】  携帯電話の使用期間は内閣府の消費動向調査によると平均２．６年とされる。
ジュエリーは取得後、長期間使用されるのが基本であり、両者の使用期間は相反している。【０００８】  携帯電話の使用を終了する場合、装着されたジュエリーもともに廃棄されるおそれが高いので、ジュエリー装着携帯電話は普及が図られていない。
【発明の概要】
【発明が解決しようとする課題】
【０００９】（イ）携帯電話へのジュエリーの装着方法は、ジュエリーのデザインが種々多様であるた    め、それぞれのデザインに対応する必要がある。
（ロ）携帯電話の本体や外装にジュエリーを装着する場合に堅牢確実に固定させようとす    るものである。
（ハ）携帯電話に装着されたジュエリーが、携帯電話の買い替えや廃棄のときに、同様に    廃棄されることなく再利用できるようにするものである。
【課題を解決するための手段】
【００１０】  本発明のジュエリー装着携帯電話は、ジュエリー部分と、ジュエリーを固定する外装盤と、外装盤が脱着可能な構造を有する携帯電話本体の三者とを一体となす。【００１１】  本発明のジュエリー装着携帯電話のジュエリー部は、ジュエリーのそれぞれのデザインが多種多様となる形状を考慮し、さらに外装盤と接する箇所のうちから確実な固定に必要な単数ないしは複数の箇所を選択して、おねじを外装盤に対して直角の方向にろう付などで取り付ける。【００１２】  本発明のジュエリー装着携帯電話の外装盤は、携帯電話本体と着脱が可能な差込み用爪や、本体と外装盤をねじ止めするねじ孔を有する構造をもつ。【００１３】  本発明のジュエリー装着携帯電話の外装盤に、固定しようとするジュエリーに取り付けられている単数ないし複数のおねじの位置に対応する箇所におねじの呼び径の大きさの孔をあける。【００１４】  ジュエリーに取り付けたおねじを外装盤にあけた孔に通し、ねじ用ナットやワッシャーを用いてジュエリーを外装盤に確実に固定する。【００１５】  携帯電話は外装盤の爪に対応する嵌めこみ可能な溝をもつ構造や、あるいは外装盤をねじ止めする構造を有したものを用い、ジュエリーが固定された外装盤を嵌めこみ、又はねじ止めすることによって、ジュエリー及び外装盤と一体となす装飾性の高い携帯電話を提供する。【００１６】  使用者が本考案のジュエリー装着携帯電話を廃棄し、ジュエリーを外装盤が着脱可能な機能を有する新たな携帯電話に再利用する時は、外装盤のナットをはずしてジュエリーを取り外す。
取り外したジュエリーは、新たな携帯電話の着脱可能な外装盤に、当該ジュエリーのおねじの位置に対応する箇所に孔をあけ、ねじをその孔に通してナットやワッシャーによってジュエリーを外装盤に固定し、ジュエリーが固定された外装盤を新たな携帯電話に装着する。【００１７】  取り外したジュエリーを新たな携帯電話に再利用しない場合は、ジュエリーに例えばバチカンを追加加工することによりペンダントとして、あるいはピンを追加加工することによりブローチとして、装身具ジュエリーとして使用することができる。
【発明の効果】
【００１８】（イ）本発明は、ジュエリーのデザインの適宜な位置にねじをろう付して、外装盤に固定    する製造方法によりさまざまに異なるデザインのジュエリーを携帯電話に装着するこ    とができる。
（ロ）本発明は、ジュエリーと携帯電話の外装盤を、おねじとナットおよびワッシャーに    よって、確実堅牢に固定するので、従来行われている接着剤や粘着剤による固着に比    べて、ジュエリーの脱落の心配なく、ジュエリー装着携帯電話を通常状態で使用する    ことができる。
（ハ）本発明のジュエリー装着携帯電話の使用者は、携帯電話の利便性にくわえ、さらに    装飾性の高い携帯電話を愛着心を持って使用できる。
（ニ）本発明のジュエリー装着携帯電話の使用者は、携帯電話の使用期間中に新たなデザ    インのジュエリーを外装盤とともに交換して楽しむことができる。
（ホ）本発明のジュエリー装着携帯電話の使用期間中に同機種の携帯電話に取り替えると    きは、ジュエリーが装着された外装盤を取り外し、新しい携帯電話に取り付けること    により、使用者はジュエリーの装飾性と資産価値を継続することができる。
（ヘ）本発明のジュエリー装着携帯電話を廃棄する場合、取り付けられているジュエリー    を外装盤からナットをはずすことによって取り外し、ジュエリーにバチカンを追加し    てペンダントやピンを加えてブローチなどのリフォームにより、装身具としてジュエ    リーの装飾性や資産的価値を損なうことなく長期間の愛用に供することができる。
【図面の簡単な説明】
【００１９】
【図１】    本発明の斜視図
【図２】    本発明の分解斜視図
【図３】    本発明の外装盤の裏側からの分解斜視図
【図４】    本発明のジュエリー部の裏側からの分解斜視図
【図５】    本発明のジュエリー部と外装盤の断面図
【図６】    本発明のジュエリー部のリフォーム後のペンダント正面図
【発明を実施するための形態】
【００２０】本発明の携帯電話の本体と外装盤、ジュエリーの形態の例を説明する。
（イ）携帯電話本体（１）に取り付けようとするジュエリー（３）は、外装盤（２）と接    し、かつ固定に適する箇所から単数ないし複数の位置を選択し、外装盤と直角の方向    におねじ（８）をろう付などの方法で取り付ける。
（ロ）外装盤は携帯電話と着脱可能な構造として、例として携帯電話の対応する溝孔に差    し込む爪Ａ（６）爪Ｂ（７）を備え、ジュエリーをねじ止めするナットの厚さを内包    する外側へのふくらみ（１２）をもうける。
（ハ）外装盤はジュエリーに取り付けたおねじに対応する位置に、おねじ（８）の呼び径    の寸法の孔（９）をあける。
本発明は、以上の構成よりなっている。
（ニ）本発明を使用するときは、上記の外装盤の孔にジュエリーに取り付けたおねじを通    し、裏側から外装盤の強度を補強するワッシャー（１１）とナット（１０）を用いて    ねじ止めしてジュエリーを外装盤に確実に固定する。
（ホ）ジュエリーを固定した外装盤を、携帯電話の本体の凹部（４）に嵌め込み、携帯電    話本体の溝孔（４）に外装盤の爪Ａ（６）爪Ｂ（７）を差し込んで外装盤を携帯電話    本体に装着して、ジュエリー装着携帯電話となす。
（ヘ）携帯電話を廃棄しジュエリーを再利用する時は、外装盤を携帯電話から外し、外装    盤に取り付けられたジュエリーを固定するナットをはずし、ジュエリーを外装盤から    取り外す。
（ト）取り外したジュエリーを新しい携帯電話に再利用する時は、取り外したジュエリー    のおねじの位置に合わせて、新しく取り付ける携帯電話の外装盤に孔をあける。
（チ）新しい外装盤の孔にジュエリーのおねじを通し、ナットやワッシャーで固定する。
（リ）ジュエリーを固定した新しい外装盤を新しい携帯電話本体に装着して、新たなジュ    エリー付き携帯電話となす。
（ヌ）携帯電話から取り外したジュエリーを新たな携帯電話に装着しない場合は、例えば    ジュエリーの取り付けたおねじを除去し、バチカン（１３）部品を追加加工などのリ    フォームをして、ペンダント（１４）として再利用する。
（ル）同様にピンを追加加工してブローチなどにリフォームし、装身具として再利用する    。
【符号の説明】
【００２１】    １    携帯電話本体
２    携帯電話の外装盤
３    ジュエリー部
４    本体の凹部
５    携帯電話本体の爪溝孔
６    外装盤の爪Ａ
７    外装盤の爪Ｂ
８    ジュエリーに取り付けるおねじ
９    外装盤の孔
１０  ナット
１１  ワッシャー
１２  外装盤のふくらみ
１３  バチカン
１４  ペンダント
【図１】
2010268414.tif 000003
【図２】
2010268414.tif 000004
【図３】
2010268414.tif 000005
【図４】
2010268414.tif 000006
【図５】
2010268414.tif 000007
【図６】
2010268414.tif 000008